(57)【特許請求の範囲】
【請求項１】
ロール状に巻かれたラップフィルムが収納されるカートン本体の上方開口部における一側縁に蓋体が起伏自在に連設されており、該蓋体の先端に前記カートン本体の前板と重なり合う掩蓋片と、該掩蓋片に切り取り線を介して開封片とが連設され、前記掩蓋片の裏面には前記切り取り線に沿って切断刃が取り付けられており、前記前板の表面と前記開封片の裏面とを部分的に貼合させている部分接合部を引き剥がし、前記切り取り線から前記開封片を切り取ることでカートンを開封可能にし、前記切断刃が露出する形態のラップフィルム用カートンであって、
前記前板の表面に、前記前板と前記掩蓋片とが重なり合う部位と、前記前板と前記開封片とが重なり合う部位とにまたがって、半切れ部を設けて部分接合部を形成したことを特徴とするラップフィルム用カートン。
【請求項２】
前記半切れ部の形状が、略Ｕ字形であることを特徴とする請求項１に記載のラップフィルム用カートン。
【請求項３】
略Ｕ字形である前記半切れ部のＵ字の両端部分が、前記前板の表面の前記掩蓋片と重なり合う部位に位置することを特徴とする請求項２に記載のラップフィルム用カートン。
【請求項４】
略Ｕ字形である前記半切れ部のＵ字の両先端部分が、前記前板の開封終了端側に傾いて配列されたことを特徴とする請求項３に記載のラップフィルム用カートン。
【発明の詳細な説明】
【０００１】
【産業上の利用分野】
本発明は、一般家庭などで食品の包装に使用されているラップフィルムを収納するカートンの改良技術に関するものである。
【０００２】
【従来の技術】
従来、ラップフィルム用カートンとして、カートンの前板の掩蓋片のよって覆われる部位に平滑な面を設け、ラップフィルムの自己粘着性により巻き戻りを防止するようにしたものがある。このような平滑な面を設けたものとしては、特開昭６３−５５０４３号公報に記載されているように、プラスチックフィルムなどの平滑なシートを貼着するようにしたものや、特開昭６４−９１５１号公報に記載されているように、架橋性硬化ニスで平滑な塗布層を設けたものが知られている。
【０００３】
また、この種のカートンでは、各板面が折れ線の部分で直角に折り曲げられ、一部貼合して直方体に形成される。そして、開封片の裏面が前板の表面に貼合している部分接合部を引き剥がしながら、切り取り線から開封片を切り取ることでカートンを開封状態にし、その上で内部に収納されているラップフィルムのロールからラップフィルムを必要量引き出し、カートンに配備してある切断刃で切断して使用するものであることは広く知られている。
【０００４】
さらに、部分貼合部での貼り合わせ、つまり開封片に設けた半円形状の切れ目部分の裏面と、前板の表面に設けた円形状の半切れ線で囲まれた半切れ部分のさらに内側のニスの非塗布部分との貼り合わせを行い、前板の円形状の半切れ線で囲まれた半切れ部分の板紙の層間剥離によるこの貼合部の剥離離脱により開封片を引き剥がす方法が広く行われている。
【０００５】
【発明が解決しようとする課題】
従来のカートンの形状では、前板の表面を平滑な面にして、ラップフィルムの自己粘着性による巻き戻り防止としている点では、効果的ではあるが、しかしながら、逆に、ラップフィルムが平滑面に密着しすぎて取り出しのきっかけを掴むのに困難を来すという問題がある。
【０００６】
本発明は、上記の問題点を解決するために見出されたもので、その目的とするところは、カートンの前板の表面を平滑な面にして、ラップフィルムの自己粘着性による巻き戻り防止としている形状のラップフィルム用カートンにおいて、ラップフィルムが前板の巻き取り防止のための平滑な面に密着しすぎても、容易にラップフィルムを引き出すことを可能にしたラップフィルム用カートンを提供することにある。
【０００７】
【課題を解決するための手段】
上記課題を解決するためになされた本発明は、ロール状に巻かれたラップフィルムが収納されるカートン本体の上方開口部における一側縁に蓋体が起伏自在に連設されており、該蓋体の先端に前記カートン本体の前板と重なり合う掩蓋片と、該掩蓋片に切り取り線を介して開封片とが連設され、前記掩蓋片の裏面には前記切り取り線に沿って切断刃が取り付けられており、前記前板の表面と前記開封片の裏面とを部分的に貼合させている部分接合部を引き剥がし、前記切り取り線から前記開封片を切り取ることでカートンを開封可能にし、前記切断刃が露出する形態のラップフィルム用カートンであって、前記前板の表面に、前記前板と前記掩蓋片とが重なり合う部位と、前記前板と前記開封片とが重なり合う部位とにまたがって、半切れ部を設けて部分接合部を形成したことを特徴とするラップフィルム用カートンである。また、前記半切れ部の形状が、略Ｕ字形であることを特徴とし、さらに、略Ｕ字形である前記半切れ部のＵ字の両先端部分が、前記前板の表面の前記掩蓋片と重なり合う部位に位置し、そして、前記前板の開封終了端側に傾いて配列されたことを特徴とする。
【０００８】
本発明によれば、カートンの前板の表面を平滑な面にして、ラップフィルムの自己粘着性による巻き戻り防止としている形状のラップフィルム用カートンにおいて、ラップフィルムが前板の巻き取り防止のための平滑な面に密着しすぎても、容易にラップフィルムを引き出すことを可能であるラップフィルム用カートンを得ることが出来る。
【０００９】
【発明の実施の形態】
以下図面に基づいて詳細に説明する。
図１は、本発明によるラップフィルム用カートン１の一実施例のブランクの展開図である。図２は、従来のラップフィルム用カートン３の前板を示す部分平面図である。図３は、本発明によるラップフィルム用カートン１の一実施例の前板を示す部分平面図である。図４は、本発明によるラップフィルム用カートン１の一実施例の前板の一部を示す拡大部分平面図である。図５は、本発明によるラップフィルム用カートン１の別の一実施例の前板を示す部分平面図である。図６は本発明によるラップフィルム用カートン１の一実施例の開封状態を示す斜視図である。図７は、本発明によるラップフィルム用カートン１の一実施例の開封した後の状態を示す斜視図である。図８は、本発明によるラップフィルム用カートン１の一実施例を示す断面図である。
【００１０】
本発明のラップフィルム用カートン１の一実施例のブランク２は、図１に示すように、折り曲げ線ａ、ｂ、ｃを介して連設された前板１１、底板１２、後板１３および蓋板１４を有しており、前板１１の側縁側には折り曲げ線ｅを介して折り込み片１７が、また、蓋板１４の側縁側には折り曲げ線ｄを介して掩蓋片１５がそれぞれ連設されている。掩蓋片１５には、その略中央部に波形の切り取り線２３が形成され、この切り取り線２３の側縁側に開封片１６が連設されている。この開封片１６は前記切り取り線２３を境として切り離し可能である。この切り取り線２３は、ミシン目、リード罫など切り取り易い形で形成する。また、開封片１６には長手方向に沿って等間隔に同じ向きの半円状の切り込み２４が計６個形成されている。掩蓋片１５の裏面には前記切り取り線２３に沿って切断刃が取り付けられる。
【００１１】
前板１１、底板１２、後板１３、蓋板１４および掩蓋片１５のそれぞれの両端位置には、折り曲げ線ｆ、ｆ´を介してそれぞれ第一側片１８、１８´、側板１９、１９´、第二側板２０、２０´、側蓋板２１、２１´、および側蓋片２２、２２´が連設されている。ここで、側板１９、１９´の長さは前板１１および後板１３の幅と略同寸とされ、第一側片１８、１８´、第二側片２０、２０´の長さは側板１９、１９´より短くされている。また、側蓋板２１、２１´の長さは側板１９、１９´の長さの略半分程度とされ、また、側蓋片２２、２２´の長さは蓋板１４の幅よりも短くされている。
【００１２】
また、前板１１の表面には、従来のラップフィルム用カートンでは、図２に示すように、カートンに形成された時に開封片１６の半円状の切り込み２４と接触する位置に該切り込み２４と同径の円形の半切れ部２５を設けるが、本発明のラップフィルム用カートン１では、図１あるいは図３に示すように、前板１１の表面に、カートンに形成された時に開封片１６の半円状の切り込み２４と接触する位置に該切り込み２４より大きい形状で、前板１１と掩蓋片１５とが重なり合う部位Ｘと、前板１１と開封片１６とが重なり合う部位Ｙとにまたがって、略Ｕ字形の半切れ部２５を直線上に等間隔に数個設けて部分接合部を形成する。この数は特に限定されないが、使用前には、開封片１６が前板１１に固着されて剥がれなく、かつ、使用の際には、この部分接合部で前板１１の表層が剥離し、開封が容易になるように設定する。
【００１３】
この半切れ部２５の形状については、略Ｕ字形が好ましいが、他にもＶ字形状、コの字形状などがあり、いずれも形状が円のように閉鎖された形状ではなく、一部が欠けた形状である必要がある。
【００１４】
また、この半切れ部２５は、半切れと称するように、ラップフィルム用カートンの材料である板紙を表面から略半分程度切り込みを入れる加工により形成される。
【００１５】
略Ｕ字形の半切れ部２５は、カートンを組み立てて掩蓋片１５および開封片１６が前板１１に貼り重ねた時に、開封片１６が重ねられる位置に設けられるが、半切れ部２５の略Ｕ字形の両先端部分は、図４に示すように、切り取り線２３上あるいは切り取り線２３を越えて掩蓋片１５が重ねられる部位Ｘの位置に一部延長して設ける。つまり、略Ｕ字形の両先端Ａ、Ｂが、前板１１と掩蓋片１５とが重なる部位Ｘに設けられることになる。
【００１６】
また、略Ｕ字形の半切れ部２５の直線部分Ｃ、Ｄは、ほぼ平行でカートンの稜線つまり罫線ａ、ｅと直角ではなく、図４に示すように、半切れ部２５のＵ字形状が前板の開封終了端側２７に傾いて配列する。斜めに設ける理由は、開封片１６を掩蓋片１５から切り取りながら前板１１から剥がす際に、Ｕ字形の半切れ部２５に囲まれた部分全体の紙の層間の剥離を容易にするためである。つまり、Ｕ字形の半切れ部２５の曲線部Ｅから紙の層間剥離が始まり、先端部Ａ、Ｂで終わることにより剥離がスムースに行くことになる。ここで、前板１１の表面には、オーバープリントニスなどを塗布して平滑な面として、ラップフィルムが密着するようにしている。各半切れ部２５の内側（図４の斜線で示された部分）では、ブランクの表面に塗布されるオーバープリントニスは塗布されずに抜かれている。
【００１７】
なお、切断刃２６の形状は、直線状以外にＵ字形状、Ｖ字形状の場合もあり、例えば、図５に示すように、Ｖ字形状の場合には、切り取り線２３がＶ字形状になり、半切れ部２５の位置と形状は、曲線部２５Ｅの位置は、直線上の等間隔に配置されるが、形状はそれぞれ異なってくる。
【００１８】
このようなブランク２は次のように組み立てられる。
まず、ブランク２を各折り曲げ線ａ、ｂ、ｃ、ｄ、ｅ、ｆに沿って折り曲げ、折り込み片１７の裏面を前板１１の裏面に貼着し、つづいて、第二側片２０、２０´の表面と側板１９、１９´の裏面との間に第一側片１８、１８´を挟み込んで各接触面をそれぞれ貼着することによってカートンの収納部が形成される。また、蓋部は、側蓋片２２、２２´の表面と側蓋板２１、２１´の裏面とを貼着することにより形成される。
【００１９】
こうして組み立てられたラップフィルム用カートン１には、収納部の凹部にロール状のラップフィルムなどが収納される。そして、前板１１の半切れ部２５に重なるように帯状に塗布された接着剤によって前板１１の表面と掩蓋片１５の開封片１６の裏面とが貼着され、それによりカートンが密封される。その場合、オーバープリントニスの抜かれた半切れ部２５の内側のみが開封片１６の切り込み２４の内側と接着される。
【００２０】
使用時においては、図６に示すように、開封片１６を半円状の切り込み２４の基端側の摘まみ部２７をつまんで開封片１６を切り取り線２３の箇所から切り離すと、接着部である半切れ部２５の内側の表面の紙が層間剥離することによってカートンが開封され、その開封部から切断刃２６が露出する。また、それと同時にカートンの内部の収納されたロール状のラップフィルムも露出するため、ラップフィルムを必要量だけ繰り出して切断刃２６により切断することが可能となる。
【００２１】
本発明のラップフィルム用カートン１では、開封片１６を切り取ると同時に、半切れ部２５内の部分の紙が層間剥離するが、切り取り線２３上の一部半切れが欠けている部分は紙の切断がスムーズではなく層間が盛り上がる。そのために、ラップフィルムがその部分には密着せず、図７および図８に示すように、浮き上がった状態となり、使用する時に摘まみ取るきっかけになり、容易にラップフィルムを取り出すことができる。
【００２２】
【発明の効果】
本発明によれば、カートンの前板の表面を平滑な面にして、ラップフィルムの自己粘着性による巻き戻り防止としている形状のラップフィルム用カートンにおいて、ラップフィルムが前板の巻き取り防止のための平滑な面に密着しすぎても、容易にラップフィルムを引き出すことを可能であるラップフィルム用カートンを得ることが出来る。
【図面の簡単な説明】
【図１】本発明によるラップフィルム用カートン１の一実施例のブランクの展開図である。
【図２】従来のラップフィルム用カートン３の前板を示す部分平面図である。
【図３】本発明によるラップフィルム用カートン１の一実施例の前板を示す部分平面図である。
【図４】本発明によるラップフィルム用カートン１の一実施例の前板の一部を示す拡大部分平面図である。
【図５】本発明によるラップフィルム用カートン１の別の一実施例の前板を示す部分平面図である。
【図６】本発明によるラップフィルム用カートン１の一実施例の開封状態を示す斜視図である。
【図７】本発明によるラップフィルム用カートン１の一実施例の開封した後の状態を示す斜視図である。
【図８】本発明によるラップフィルム用カートン１の一実施例を示す断面図である。
【符号の説明】
１  ラップフィルム用カートン
２  ブランク
１１  前板
１２  底板
１３  後板
１４  蓋板
１５  掩蓋片
１６  開封片
１７  折り込み片
１８  第一側片
１９  側板
２０  第二側板
２１  側蓋板
２２  側蓋片
２３  切り取り線
２４  切り込み
２５  半切れ部
Ａ  先端部（半切れ部）
Ｂ  先端部（半切れ部）
Ｃ  直線部（半切れ部）
Ｄ  直線部（半切れ部）
Ｅ  曲線部（半切れ部）
２６  切断刃
２７  開封終了端
２８  ラップフィルム
ａ〜ｆ罫線
Ｘ  前板と掩蓋片とが重なる部位
Ｙ  前板と開封片とが重なる部位
【図１】
0004028068.tif 000002
【図２】
0004028068.tif 000003
【図３】
0004028068.tif 000004
【図４】
0004028068.tif 000005
【図５】
0004028068.tif 000006
【図６】
0004028068.tif 000007
【図７】
0004028068.tif 000008
【図８】
0004028068.tif 000009